(57)【要約】【課題】電気接続箱に被せられるカバーのガタつきを確実に防止する。【解決手段】ケース１１上面に電気部品（ヒューズ等）の収容部１２を有する電気接続箱（ヒューズボックス）１０に該電気部品を覆うように被せるカバー２０のガタつきを防止するものであって、収容部１２のうちケース１１側壁側に位置する収容部１２の外面１２ａと対向する位置で、ケース側壁より上方に逆Ｕ字形状のＵ字壁１５を突出しており、Ｕ字壁１５は、その上端の折返部１５ｂから下方内側に突出した内壁部１５ｃの下端を自由端とすることで、水平の内外方向に可撓性を有しており、カバー２０は、その側壁２０ｂをＵ字壁１５の内壁部１５ｃと収容部１２の外面１２ａとの間に圧接挟持させている。【選択図】　図６
2004056968.tif 000002
【特許請求の範囲】
【請求項１】
ケース上面に電気部品の収容部を有する電気接続箱に該電気部品を覆うように被せるカバーのガタつきを防止するものであって、
上記収容部のうちケース側壁側に位置する収容部の外面と対向する位置で、ケース側壁より上方に逆Ｕ字形状のＵ字壁を突出しており、
上記Ｕ字壁は、その上端の折返部から下方内側に突出した内壁部の下端を自由端とすることで、水平の内外方向に可撓性を有しており、
上記カバーは、その側壁を上記Ｕ字壁の内壁部と上記収容部の外面との間に圧接挟持させていることを特徴とする電気接続箱のカバーのガタつき防止構造。
【請求項２】
上記カバー側壁の挿入側である上記Ｕ字壁の折返部から内壁部にかけてテーパー部を設けた構成としている請求項１に記載の電気接続箱のカバーのガタつき防止構造。
【発明の詳細な説明】
【０００１】
【発明の属する技術分野】
本発明は、電気接続箱のカバーのガタつき防止構造に関し、詳しくは、自動車用のヒューズボックス等の電気接続箱のカバーをガタつき無く取り付けるものである。
【０００２】
【従来の技術】
図７（Ａ）（Ｂ）に示すように、従来より提供されているヒューズボックス１は、ケース上面にヒューズ収容部１ａを多数並設していると共に、ケース側面に被ロック部１ｂを設けている。なお、ケースの一側壁側に位置する収容部１ａの外面と他側壁側に位置する収容部１ａの外面との間の距離をＬ１とする。
ヒューズボックス１のケース上面には、ヒューズ収容部１ａに搭載されたヒューズ（図示せず）を埃などから保護するために合成樹脂製のカバー２を被せている。
【０００３】
カバー２は、図８（Ａ）（Ｂ）に示すように、上壁２ｄと側壁２ｂとを備えた蓋形状であり、側壁２ｂの外面の所要位置にロック部２ａを設けていると共に、側壁２ｂの内面の所要位置に、図８（Ｃ）に示すリブ２ｃを間隔をあけて複数設けている。なお、カバー２の対向する両側壁２ｂのリブ２ｃ間の距離をＬ２としており、Ｌ１＞Ｌ２の関係としている。
【０００４】
カバー２をヒューズボックス１の上方より被せてロック部２ａを被ロック部１ｂにロックした状態では、上記のようにＬ１＞Ｌ２としているので、図９に示すように、カバー２のリブ２ｃがヒューズ収容部１ａの外面と圧接保持され、カバーのガタつきを防止している。
【０００５】
【発明が解決しようとする課題】
しかしながら、上記ヒューズボックス１を搭載した自動車の振動等が、ヒューズボックス１に伝達し、カバー２のリブ２ｃが摩擦で削れて隙間が発生してしまう場合があり、カバー２のガタつき及び異音が発生する問題がある。
また、カバー２は合成樹脂製であるため、雰囲気温度の変化による変形や長年の使用による寸法変化などにより、完全で永久的なガタつき防止が図れない問題がある。
【０００６】
本発明は、上記問題に鑑みてなされたもので、電気接続箱（ｅｘ．ヒューズボックス）に被せられるカバーのガタつきを確実に防止することを課題としている。
【０００７】
【課題を解決するための手段】
上記課題を解決するため、本発明は、ケース上面に電気部品の収容部を有する電気接続箱に該電気部品を覆うように被せるカバーのガタつきを防止するものであって、
上記収容部のうちケース側壁側に位置する収容部の外面と対向する位置で、ケース側壁より上方に逆Ｕ字形状のＵ字壁を突出しており、
上記Ｕ字壁は、その上端の折返部から下方内側に突出した内壁部の下端を自由端とすることで、水平の内外方向に可撓性を有しており、
上記カバーは、その側壁を上記Ｕ字壁の内壁部と上記収容部の外面との間に圧接挟持させていることを特徴とする電気接続箱のカバーのガタつき防止構造を提供している。
【０００８】
上記構成とすると、ヒューズ等の電気部品を埃などから保護するための上記カバーは、その側壁を上記Ｕ字壁の内壁部が撓んで上記収容部の外面に押し付けるようにして圧接保持するので、カバーが多少変形してしまった場合でも、その寸法差を内壁部の弾性により吸収することができる。
また、カバーの側壁に押し当てる内壁部は上記折返部を起点として可撓性を有しているので、車両の振動等によるカバー側壁とＵ字壁の内壁部との間の摩擦も低減され、内壁部の削れも抑制される。
したがって、雰囲気温度の変化、長年の使用、車両の振動等に対しても、カバーのガタつきを防止でき、異音の発生を抑制することができる。
【０００９】
上記カバー側壁の挿入側である上記Ｕ字壁の折返部から内壁部にかけてテーパー部を設けた構成としていると好適である。
【００１０】
上記構成とすると、上記カバーを上記電気接続箱に被せて、カバー側壁を上記Ｕ字壁と上記収容部の外面との間に挿入する際に、上記カバーの側壁がＵ字壁と収容部外面との間の挿入口で上記テーパー部に拾い込まれるので、カバーの取付作業性が向上する。
【００１１】
【発明の実施の形態】
本発明の実施形態を図面を参照して説明する。
本実施形態の電気接続箱はヒューズボックス１０であり、ケース１１の上面に多数のヒューズ収容部１２を並設している。
ケース１１の側面１１ａの所要位置には後述するカバー２０をロックするための被ロック部１３を一対設けていると共に、ボックス１０を車体に固定するためのブラケット部１４を一対突出している。
【００１２】
ケース１１上面の周縁部のうち被ロック部１３のある辺と直交する辺には間隔をあけて逆Ｕ字形状のＵ字壁１５を計７つ突設している。
Ｕ字壁１５は、図３および図５に示すように、ケース１１の側面１１ａより上方に連続して外壁部１５ａを突出し、上端の折返部１５ｂより下方内側に内壁部１５ｃを突出し、該内壁部１５ｃの下端は自由端としている。つまり、内壁部１５ｃは折返部１５ｂを起点として水平の内外方向に可撓性を有している。
また、折返部１５ｂから内壁部１５ｃにかけた部位には傾斜を有するテーパー部１５ｄを設けている。
【００１３】
カバー２０は、ヒューズ収容部１２に搭載されたヒューズ（図示せず）を埃などから保護するためのものであり、図４に示すように、上壁２０ｃと側壁２０ｂとを備えた蓋形状であり、ヒューズボックス１０の被ロック部１３と対応するロック部２０ａを側壁２０ｂに設けている。
【００１４】
次に、カバー２０のヒューズボックス１０への取付手順について説明する。
図５に示すように、カバー２０の側壁２０ｂをヒューズ収容部１２の外面１２ａとＵ字壁１５の内壁部１５ｃとの間の空間に挿入する。
この時、カバー２０の側壁２０ｂがＵ字壁１５のテーパー部１５ｄに拾い込まれて正しい位置に導かれるので、カバー２０の取付作業性を向上させることができる。
【００１５】
そのまま、カバー２０を下方に押し込みヒューズボックス１０の上面を閉鎖すると、カバー２０のロック部２０ａがケース１１の被ロック部１３にロック結合されると共に、図６に示すように、カバー２０の側壁２０ｂがＵ字壁１５の内壁部１５ｃとヒューズ収容部１２の外面１２ａとの間で圧接挟持され、カバー側壁２０ｂの下端がケース上面１６に当接した時点で停止する。
なお、カバー２０の側壁２０ｂの高さの１／３程度がＵ字壁１５の内壁部１５ｃに当接するようにして、カバー２０の上面２０ｃとヒューズ収容部１２に搭載されたヒューズ（図示せず）との距離を保っている。
【００１６】
上記構成とすると、カバー２０の側壁２０ｂは、Ｕ字壁１５の内壁部１５ｃが撓んでヒューズ収容部１２の外面１２ａに押し付けるようにして圧接保持されるので、カバー２０が多少変形してしまった場合でも、その寸法差を内壁部１５ｃの弾性により吸収することができると共に、Ｕ字壁１５の内壁部１５ｃの可撓性により、車両の振動等によるカバー側壁２０ｂと内壁部１５ｃとの間の摩擦も低減され、内壁部の削れも抑制される。
したがって、雰囲気温度の変化、長年の使用、車両の振動等に対しても、カバー２０のガタつきを防止でき、異音の発生を抑制することができる。
【００１７】
なお、本実施形態ではヒューズボックス１０に取り付けられるカバー２０を示しているが、その他の電気接続箱、例えばリレーボックスやジャンクションボックスに利用しても好適であることは言うまでもない。
【００１８】
【発明の効果】
以上の説明より明らかなように、本発明によれば、上記カバーの側壁は、上記Ｕ字壁の内壁部が撓んで上記ヒューズ収容部の外面に押し付けるようにして圧接保持されるので、カバーが多少変形してしまった場合でも、その寸法差を内壁部の弾性により吸収することができると共に、Ｕ字壁の内壁部の可撓性により、車両の振動等によるカバー側壁と内壁部との間の摩擦も低減され、内壁部の削れも抑制される。よって、雰囲気温度の変化、長年の使用、車両の振動等に対しても、カバーのガタつきを防止でき、異音の発生を抑制することができる。
【００１９】
また、上記カバーの側壁の挿入側である上記Ｕ字壁の折返部から内壁部にかけてテーパー部を設けていることで、カバーを電気接続箱に被せる際に、カバー側壁がＵ字壁と収容部外面との間の挿入口で上記テーパー部に拾い込まれて正しい位置に導かれるので、カバーの取付作業性を向上させることができる。
【図面の簡単な説明】
【図１】本発明の実施形態のヒューズボックスの上面図である。
【図２】ヒューズボックスの側面図である。
【図３】Ｕ字壁の拡大斜視図である。
【図４】カバーの下面図である。
【図５】カバーをヒューズボックスへ取付中の要部断面図である。
【図６】カバーをヒューズボックスへ取り付けた後の要部断面図である。
【図７】（Ａ）は従来のヒューズボックスの上面図、（Ｂ）は側面図である。
【図８】（Ａ）は従来のカバーの上面図、（Ｂ）は下面図、（Ｃ）は要部拡大図である。
【図９】従来のカバーをヒューズボックスへ取り付けた後の要部断面図である。
【符号の説明】
１０　　　　ヒューズボックス（電気接続箱）
１１　　　　ケース
１２　　　　ヒューズ収容部
１２ａ　　　外面
１３　　　　被ロック部
１４　　　　ブラケット部
１５　　　　Ｕ字壁
１５ａ　　　外壁部
１５ｂ　　　折返部
１５ｃ　　　内壁部
１５ｄ　　　テーパー部
１６　　　　ケース上面
２０　　　　カバー
２０ａ　　　ロック部
２０ｂ　　　側壁
【図１】
2004056968.tif 000003
【図２】
2004056968.tif 000004
【図３】
2004056968.tif 000005
【図４】
2004056968.tif 000006
【図５】
2004056968.tif 000007
【図６】
2004056968.tif 000008
【図７】
2004056968.tif 000009
【図８】
2004056968.tif 000010
【図９】
2004056968.tif 000011